【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
容器プリフォームが収容され、容器の外部形状に対応するキャビティを備え、互いに離隔するとか当接する分離可能な複数の容器金型と；
前記容器金型に付着され、容器金型を移動させる複数の移動ブロックと；
前記移動ブロックを移動させることができる駆動力を提供する駆動ドライブと；
駆動ドライブと移動ブロックを連結し、駆動ドライブの動力を移動ブロックに伝達する駆動力伝達部と；
複数の容器金型が結合された場合、複数の移動ブロックを貫通するように設けられる固定バーと；
複数の容器金型が結合された場合、固定バーと結合して複数の容器金型が結合した状態を維持させる係止装置とを含み 容器成形モジュールを含み 、
容器金型は、第１容器金型と第２容器金型とを含み、
移動ブロックは、第１容器金型の後方に結合される第１移動ブロックと第２容器金型の後方に結合される第２移動ブロックとを含み、
駆動力伝達部は、
駆動ドライブの回転軸に配置された回動部と；
回動部の両端に回動可能に設けられる第１及び第２連結リンクと；
それぞれ第１及び第２連結リンクと連結され、第１及び第２移動ブロックと連結される第１及び第２連結プレートをさらに含み、
回動部の回転によって第１及び第２連結リンクが回動部の周りに折り畳まれる場合は第１及び第２容器金型が結合し、第１及び第２連結リンクが回動部の外側方向に展開する場合は第１及び第２容器金型が展開することを特徴とする、請求項１に記載の容器製造装置。
【請求項２】
樹脂材料を用いて容器のプリフォーム（ｐｒｅ−ｆｏｒｍ）の形体を形成するプリフォーム成形モジュールと；
前記プリフォーム成形モジュールと連結され、樹脂材料を前記プリフォーム成形モジュールに供給する射出モジュールとを含み；
前記 容器成形モジュールは前記プリフォーム成形モジュールで完成されたプリフォームに空気を注入してプリフォームを膨脹させて容器の形体を形成する、
前記容器成形モジュールと隣接して設けられ、容器の形状に対応するキャビティが形成された金型の内部にプリフォームの膨脹前にラベルを供給するラベル供給モジュールと、
前記プリフォーム成形モジュールと前記容器成形モジュールの間で回転移動し、前記プリフォーム又は容器が装着されたリッププレートが装着される回転テーブルとをさらに含み、
前記プリフォーム又は容器は前記リッププレートに逆さまに配置され、前記リッププレートの上方に伸びる形態に配置されるように支持されることにより、前記リッププレートは前記プリフォーム又は容器の下側に配置され、前記リッププレートに配置されるプリフォーム又は容器の入口は下側に向かうように配置され、
前記回転テーブルの上部に前記リッププレートが着脱可能に装着されて支持され、
前記リッププレートは前記プリフォーム成形モジュール又は前記容器成形モジュールによる作業ステージ過程で前記回転テーブルに対して前記プリフォーム成形モジュール又は前記容器成形モジュールの動作によって前記回転テーブルから分離されて上昇又は下降運動することができるように設けられるとかあるいは前記回転テーブルに装着された状態を維持することができることを特徴とする、容器製造装置。
【請求項３】
前記プリフォーム製作部と隣接して配置され、前記プリフォーム製作部で製作されたプリフォームを加熱するプリフォーム加熱モジュールをさらに含むことを特徴とし、
前記回転テーブルはリッププレートに載せられたプリフォームを前記プリフォーム製作部から前記プリフォーム加熱モジュールと前記容器成形モジュールの順に移動させることを特徴とする、請求項２に記載の容器製造装置。
【請求項４】
前記容器成形モジュールと隣接して設けられ、成形が完了した容器を外部に搬出する容器搬出モジュールをさらに含むことを特徴とする、請求項2 に記載の容器製造装置。
【請求項５】
前記プリフォーム成形モジュールと前記容器成形モジュールの少なくとも一つが位置する支持テーブルをさらに含み、
前記回転テーブルは前記支持テーブルの内部に回転可能に装着され、前記回転テーブルに前記リッププレートが装着されて支持される装着溝が形成されることを特徴とする、請求項2に記載の容器製造装置。
【請求項６】
前記プリフォーム加熱モジュールは、
リッププレートに支持された容器のプリフォームを取り囲むように設けられ、一側が開放したヒーターカバーと；
前記ヒーターカバーの内面に配列され、プリフォームを取り囲む外部ヒーターと；
前記ヒーターカバーを昇降させるとかあるいは回転させるヒーターカバー駆動ユニットと；
前記プリフォームの温度を測定する温度センサー部と；
前記温度センサー部及び外部ヒーターと連結され、プリフォームの温度によって外部ヒーターの温度を制御する制御部とを含み、
前記ヒーターカバーは、その外周面の一部が切開してその内部空間が見えるように設けられ、内部空間と外部を連通して、内部空間の熱の一部が外部に放出されるように案内する開口部を含むことを特徴とする、請求項３に記載の容器製造装置。
【請求項７】
前記第１移動ブロックの後方には、第１移動ブロックの後方を選択的に支持し、固定バーが設置される支持ブロックが設けられ、
容器金型、移動ブロック及び支持ブロックは外観をなすハウジングフレームの内部にスライド移動可能に設けられることを特徴とする、請求項１に記載の容器製造装置。
【請求項８】
前記固定バーは第１移動ブロックを貫通するように設けられ、第１及び第２容器金型が結合する場合、第２移動ブロックを選択的に貫通するように設けられ、
前記係止装置は、第１及び第２移動ブロックを貫通した固定バーの端部と選択的に結合されることができることを特徴とする、請求項7に記載の容器製造装置。
【請求項９】
前記係止装置は、
上方に凹むように形成される複数の第１係止溝が形成された上部係止部と；
下方に凹むように形成される複数の第２係止溝が形成された下部係止部と；
前記上部係止部と前記下部係止部間の間隔を調節して、第１及び第２係止溝が互いに近付くようにすることができる駆動装置とを含むことを特徴とする、請求項１に記載の容器製造装置。
【請求項１０】
前記駆動装置は、
突出長が可変する作動バーを備えたアクチュエータと；
作動バーと連結され、作動バーの動作によって動く移動プレートと；
移動プレートに形成される上向き案内溝及び下向き案内溝とを含み、
前記上向き案内溝には下部係止部に固定された第１挿入部が挿入され、前記下向き案内溝には上部係止部に固定された第２挿入部が挿入され、移動プレートの動作によって前記上部係止部と前記下部係止部間の間隔が調節されることを特徴とする、請求項9に記載の容器製造装置。
【請求項１１】
前記容器金型は上部と下部が開放するように構成され、
前記容器金型の上部開放部は容器の底面形状に対応する形状を有する上部閉鎖部によって閉鎖され、
前記容器金型の下部開放部は容器プリフォームが支持されるリッププレートによって閉鎖されることを特徴とする、請求項１に記載の容器製造装置。
【請求項１２】
前記容器金型の下部に設けられ、キャビティに収容されたプリフォームの内部に空気を供給してプリフォームを膨脹させて容器を形成する空気供給部を含み、
前記空気供給部は、
前記容器金型の下部に昇降可能に設けられ、前記容器プリフォームの入口を貫通して容器プリフォームの内部に空気を供給する空気供給管と；
前記供給管に空気を供給する空気供給装置と；
前記容器金型の下部に昇降可能に設けられ、前記容器プリフォームと前記空気供給管の間に設けられ、空気供給管が貫通するように設けられて空気供給管の昇降移動を案内し、容器プリフォームが支持されるリッププレートの下面と結合される案内部とを含むことを特徴とする、請求項１に記載の容器製造装置。
【請求項１３】
前記容器搬出モジュールは容器取出しモジュールを含み、
前記容器取出しモジュールは、
容器に対して前後方への移動及び回転が可能な移動モジュールと；
前記移動モジュールに設けられ、移動モジュールが容器に近付く場合、容器を選択的に把持するとかあるいは把持した容器を放すことができるグリッパーと；
前記移動モジュールを回転させて、グリッパーに把持されている容器をコンベヤーベルトの方向に回転させる回転装置とを含み、
移動モジュールは、
駆動モーターと連結される駆動ギアと；
駆動ギアと噛み合う従動ギアと；
駆動ギアに連結される第１リンクと；
第１リンクと回動可能に連結され、従動ギアの回転軸に回動可能に連結され、グリッパーが位置する移動プレートに連結される第２リンクとを含むことを特徴とする、請求項4 に記載の容器製造装置
【請求項１４】
前記容器搬出モジュールは容器取出しモジュールを含み、
前記容器取出しモジュールは、
前後方への移動及び回転が可能な移動モジュールと；
前記移動モジュールに設けられ、移動モジュールが容器に近付く場合、容器を選択的に把持するとかあるいは把持した容器を放すことができるグリッパーと；
前記移動モジュールの一側に設けられ、前記移動モジュールの一部が挿入され、前記移動モジュールの前後方向への移動によって移動モジュール及びグリッパーの配置状態が定位置又は反転位置に変換されるように案内するガイド部材とを含み、
前記ガイド部材は、
前記移動モジュールの一側に配置されるガイドプレートと；
前記ガイドプレートに前記移動モジュールの移動方向に形成され、その配置高が前記移動モジュールの移動軌跡によって変わるように形成されるガイドカム溝とを含み、
前記移動モジュールには、前記ガイドカム溝に挿入され、前記ガイドカム溝に装着された位置によって移動モジュールの配置状態を変化させるカム溝挿入部が設けられることを特徴とする、請求項4に記載の容器製造装置。
【請求項１５】
移動モジュールは前記移動モジュール駆動装置と連結され、前記移動モジュール駆動装置によって移動し、
前記移動モジュール駆動装置は、
駆動モーターと連結される駆動ギアと；
駆動ギアと噛み合う従動ギアと；
駆動ギアに連結される第１リンクと；
第１リンクと回動可能に連結され、従動ギアの回転軸に回動可能に連結され、グリッパーが位置する移動プレートに連結される第２リンクとを含むことを特徴とする、請求項1 4 に記載の容器製造装置。
【請求項１６】
グリッパーは少なくとも一つ以上配置され、それぞれのグリッパーは互いに密着するとか離隔することができる第１スティックと第２スティックとを含み、
前記移動モジュールは、
前記グリッパーの左右移動空間を提供する第１及び第２側壁部と；
前記第１スティックと連結され、前記第１及び第２側壁部間の空間を横切って配置される第１ロッド部と；
前記第２スティックと連結され、前記第１ロッド部と対向するように配置され、前記第１ロッド部と正反対方向に動ける第２ロッド部とを含むことを特徴とする、請求項1 4 に記載の容器製造装置。
【請求項１７】
前記ガイドカム溝は、
所定長さを有する第１溝と；
前記第１溝と連結され、第１溝との連結地点で次第に高くなるように形成される第２溝と；
前記第２溝と連結され、第２溝との連結地点で次第に低くなる第３溝と；
前記第３溝と連結され、所定長さを有するように伸びる第４溝とを含み、
前記カム溝挿入部が第１溝から前記第２溝に移動する場合、前記グリッパーの先端部が上方に上げられるように案内され、
前記カム溝の挿入部が第２溝から第３溝に移動する場合、前記グリッパーが逆さまになるように案内されることを特徴とする、請求項1 4に記載の容器製造装置
【請求項１８】
前記容器搬出モジュールは容器支持状態解除モジュールを含み、
前記容器支持状態解除モジュールは、
上下に移動して、リッププレート本体に設けられた分離用隙間に挿入されてリッププレートを複数の部分に分離させてその間隔を広げる挿入部と；
前記複数のプレート本体の端部を支持する支持アームと；
前記挿入部によって前記リッププレートが分離される場合、容器の内部に挿入されて容器を支持する容器支持部とを含むことを特徴とする、請求項4 に記載の容器製造装置。
【請求項１９】
前記支持アーム及び前記挿入部が装着され、前記支持アーム及び前記挿入部を昇降させる昇降ブロックと；
前記昇降ブロックの上側に設けられて前記昇降ブロックの上昇を一定範囲内で抑制するストッパーブロックとをさらに含み、
前記支持アームがストッパーブロックに対して上昇して支持アームの下面がリッププレートより高くなった場合、支持アームがリッププレートの上面縁部に近付いてリッププレートの上面縁部を覆って支持することを特徴とする、請求項1 8に記載の容器製造装置。